(57)【要約】【課題】  センサー光源からの光に波長シフトが発生しても、トナー濃度が正確に検出されるようにする。【解決手段】  このトナー濃度センサー８は、検出光を生成する光源５１と、検出光のうち特定偏光成分を透過させるビームスプリッター５３と、反射光のうち特定偏光成分を透過させるビームスプリッター５４とを備える。そして、ビームスプリッター５３，５４は、少なくとも検出光の波長シフト前の波長から連続使用による検出光の波長シフト後の波長までを含む透過波長帯域を有する。【選択図】  図４
2012093655.tif 000002
【特許請求の範囲】
【請求項１】
トナー画像に検出光を入射させ反射光に基づいてトナー濃度を検出するトナー濃度センサーにおいて、
前記検出光を生成する光源と、
前記検出光のうち特定偏光成分を透過させる第１偏光素子と、
前記反射光のうち特定偏光成分を透過させる第２偏光素子とを備え、
前記第１偏光素子および前記第２偏光素子は、少なくとも前記検出光の波長シフト前の波長から連続使用による前記検出光の波長シフト後の波長までを含む透過波長帯域を有すること、
を特徴とするトナー濃度センサー。
【請求項２】
前記透過波長帯域は、前記検出光の発光強度分布における所定の発光強度レベルでの波長幅と前記波長シフトの量との和以上の幅を有することを特徴とする請求項１記載のトナー濃度センサー。
【請求項３】
前記透過波長帯域の中心波長は、前記検出光の波長シフト前の波長と前記検出光の波長シフト後の波長との間の略中心の波長であることを特徴とする請求項１または請求項２記載のトナー濃度センサー。
【請求項４】
前記透過波長帯域の中心波長をＡとし、前記透過波長帯域の幅をＢとし、前記波長シフト前の前記検出光の波長をＣとし、前記検出光の発光強度分布における所定の発光強度レベルでの波長幅をＤとし、前記波長シフトの量をＥとしたとき、前記透過波長帯域の幅は、式：Ｂ＞２×｜Ａ−（Ｃ＋Ｅ／２）｜＋Ｄ＋Ｅを満たす値を有することを特徴とする請求項１から請求項３のうちのいずれか１項記載のトナー濃度センサー。
【請求項５】
前記透過波長帯域は、前記特定偏光成分の透過率が９８％以上の帯域であり、
前記検出光の発光強度分布における所定の発光強度レベルは、前記発光強度分布のピークの５％のレベルであること、
を特徴とする請求項４記載のトナー濃度センサー。
【請求項６】
請求項１から請求項５のうちのいずれか１項記載のトナー濃度センサーを備えることを特徴とする画像形成装置。
【請求項７】
トナー画像に検出光を入射させ反射光に基づいてトナー濃度を検出するトナー濃度センサーであって、前記検出光を生成する光源と、前記検出光のうち特定偏光成分を透過させる第１偏光素子と、前記反射光のうち特定偏光成分を透過させる第２偏光素子とを備えるトナー濃度センサーの設計方法において、
前記検出光の波長シフト前の波長から連続使用による前記検出光の波長シフト後までのシフト量を特定する工程と、
前記第１偏光素子および前記第２偏光素子の透過波長帯域の中心波長をＡとし、前記透過波長帯域の幅をＢとし、前記波長シフト前の前記検出光の波長をＣとし、前記検出光の発光強度分布における所定の発光強度レベルでの波長幅をＤとし、前記波長シフトの量をＥとしたとき、前記透過波長帯域の幅を、式：Ｂ＞２×｜Ａ−（Ｃ＋Ｅ／２）｜＋Ｄ＋Ｅを満たす値に設定する工程と、
を備えることを特徴とするトナー濃度センサー設計方法。
【発明の詳細な説明】
【技術分野】
【０００１】
本発明は、トナー濃度センサー、画像形成装置、およびトナー濃度センサー設計方法に関するものである。
【背景技術】
【０００２】
電子写真プロセスで画像を形成するプリンター、複写機、ファクシミリ、それらの複合機などといった画像形成装置の多くは、感光体ドラムでトナー画像を現像し、そのトナー画像を中間転写ベルトへ転写し、さらに、その中間転写ベルトから印刷用紙にトナー画像を転写し、印刷用紙にトナー画像を定着させる。
【０００３】
そのような画像形成装置では、必要に応じて、あるいは定期的に、トナー濃度補正や色ずれ補正が行われる（例えば特許文献１参照）。
【０００４】
一般に、濃度補正処理では、基準となるトナーパターン（パッチ画像）を現像して中間転写ベルトへ転写し、光学的なセンサーを使用して中間転写ベルト上のそのトナーパターンのトナー濃度を特定し、そのトナー濃度に基づいて濃度補正を行う。さらに、カラー画像形成装置の場合には、光学的なセンサを使用して中間転写ベルト上のそのトナーパターンの位置を特定し、その位置に基づいて色ずれ補正を行う。
【０００５】
また、別の方法として、特許文献１に記載されているように、感光体ドラム上のトナー濃度を特定する方法もある。
【０００６】
トナー濃度を測定するためのトナー濃度センサーでは、発光ダイオードからの光から特定偏光成分（Ｐ偏光またはＳ偏光）がビームスプリッターにより分離され、その特定偏光成分を中間転写ベルト上のトナーパターンに入射させる。そして、トナーパターンからの反射光がビームスプリッターにより正反射成分と拡散反射成分とに分離され、受光素子で検出される（例えば、特許文献２参照）。そして、正反射成分と拡散反射成分の強度からトナー濃度が特定される。例えば、トナーパターンへの入射光がＰ偏光である場合、正反射成分はＰ偏光となる。
【先行技術文献】
【特許文献】
【０００７】
【特許文献１】特開平６−２５０４８０号公報
【特許文献２】特開２００７−３３３７６０号公報
【発明の概要】
【発明が解決しようとする課題】
【０００８】
上述のように、センサーの光源として発光ダイオード（以下、ＬＥＤという）が使用される場合、ＬＥＤの駆動電流によるＬＥＤ本体の発熱や画像形成装置の内部デバイスの発熱に起因して時間経過とともに発生する温度上昇によって、ＬＥＤからの光の波長がシフトする。
【０００９】
また、トナー濃度センサーにおいて特定偏光成分を分離するために使用される偏光分離素子の偏光特性は、入射光の波長に大きく依存している。このため、上述のＬＥＤからの光の波長シフトに起因してビームスプリッターにおける特定偏光成分の透過率が大きく変動し、トナー濃度が正確に検出されない可能性がある。
【００１０】
本発明は、上記の問題に鑑みてなされたものであり、センサー光源からの光に波長シフトが発生してもトナー濃度が正確に検出されるトナー濃度センサーおよび画像形成装置、並びに、そのトナー濃度センサーの設計方法を得ることを目的とする。
【課題を解決するための手段】
【００１１】
上記の課題を解決するために、本発明では以下のようにした。
【００１２】
本発明に係るトナー濃度センサーは、検出光を生成する光源と、検出光のうち特定偏光成分を透過させる第１偏光素子と、反射光のうち特定偏光成分を透過させる第２偏光素子とを備える。そして、第１偏光素子および第２偏光素子は、少なくとも検出光の波長シフト前の波長から連続使用による検出光の波長シフト後の波長までを含む透過波長帯域を有する。
【００１３】
これにより、第１偏光素子および第２偏光素子が十分な透過波長帯域を有しているため、光源からの光に波長シフトが発生してもトナー濃度が正確に検出される。
【００１４】
また、本発明に係るトナー濃度センサーは、上記のトナー濃度センサーに加え、次のようにしてもよい。この場合、透過波長帯域は、検出光の発光強度分布における所定の発光強度レベルでの波長幅と波長シフトの量との和以上の幅を有する。
【００１５】
これにより、検出光の発光強度分布が比較的広くても第１偏光素子および第２偏光素子が十分な透過波長帯域を有しているため、光源からの光に波長シフトが発生しても、トナー濃度が正確に検出される。
【００１６】
また、本発明に係るトナー濃度センサーは、上記のトナー濃度センサーのいずれかに加え、次のようにしてもよい。この場合、透過波長帯域の中心波長は、検出光の波長シフト前の波長と検出光の波長シフト後の波長との間の略中心の波長である。
【００１７】
これにより、第１偏光素子および第２偏光素子の透過波長帯域を不必要に広くすることがない。このため、第１偏光素子および第２偏光素子が製造しやすくなる。
【００１８】
また、本発明に係るトナー濃度センサーは、上記のトナー濃度センサーのいずれかに加え、次のようにしてもよい。この場合、透過波長帯域の中心波長をＡとし、透過波長帯域の幅をＢとし、波長シフト前の検出光の波長をＣとし、検出光の発光強度分布における所定の発光強度レベルでの波長幅をＤとし、波長シフトの量をＥとしたとき、透過波長帯域の幅は、式：Ｂ＞２×｜Ａ−（Ｃ＋Ｅ／２）｜＋Ｄ＋Ｅを満たす値を有する。
【００１９】
これにより、上式によれば、第１偏光素子および第２偏光素子の透過波長帯域を適切に設定できる。
【００２０】
また、本発明に係るトナー濃度センサーは、上記のトナー濃度センサーのいずれかに加え、次のようにしてもよい。この場合、透過波長帯域は、特定偏光成分の透過率が９８％以上の帯域であり、検出光の発光強度分布における所定の発光強度レベルは、発光強度分布のピークの５％のレベルである。
【００２１】
本発明に係る画像形成装置は、上記のトナー濃度センサーのいずれかを備える。
【００２２】
本発明に係るトナー濃度センサー設計方法は、検出光の波長シフト前の波長から連続使用による検出光の波長シフト後までのシフト量を特定する工程と、第１偏光素子および第２偏光素子の透過波長帯域の中心波長をＡとし、透過波長帯域の幅をＢとし、波長シフト前の検出光の波長をＣとし、検出光の発光強度分布における所定の発光強度レベルでの波長幅をＤとし、波長シフトの量をＥとしたとき、その透過波長帯域の幅を、式：Ｂ＞２×｜Ａ−（Ｃ＋Ｅ／２）｜＋Ｄ＋Ｅを満たす値に設定する工程とを備える。
【００２３】
これにより、光源からの光に波長シフトが発生してもトナー濃度が正確に検出される第１偏光素子および第２偏光素子を設計できる。
【発明の効果】
【００２４】
本発明によれば、トナー濃度センサーにおいて、光源からの光に波長シフトが発生しても、トナー濃度が正確に検出される。
【図面の簡単な説明】
【００２５】
【図１】図１は、本発明の実施の形態に係る画像形成装置の機械的な内部構成の一部を示す側面図である。
【図２】図２は、本発明の実施の形態に係る画像形成装置の電気的な構成の一部を示すブロック図である。
【図３】図３は、パッチ画像の一例を示す図である。
【図４】図４は、図１におけるセンサーの詳細な構成を示す図である。
【図５】図５は、図４におけるビームスプリッターのＰ偏光透過率特性、光源から出射する光の強度分布、およびその波長シフトの一例を示す図である。
【発明を実施するための形態】
【００２６】
以下、図に基づいて本発明の実施の形態を説明する。
【００２７】
図１は、本発明の実施の形態に係る画像形成装置の機械的な内部構成の一部を示す側面図である。画像形成装置は、プリンター、ファクシミリ装置、複写機、複合機などといった、印刷機能を有する装置である。
【００２８】
この実施の形態の画像形成装置は、タンデム方式のカラー現像装置を有する。このカラー現像装置は、感光体ドラム１ａ〜１ｄ、露光装置２および現像ユニット３ａ〜３ｄを有する。感光体ドラム１ａ〜１ｄは、シアン、マゼンタ、イエローおよびブラックの４色の感光体である。感光体ドラム１ａ〜１ｄは、例えばアモルファスシリコン製である。露光装置２は、感光体ドラム１ａ〜１ｄへレーザー光を照射して静電潜像を形成する装置である。露光装置２は、レーザー光の光源であるレーザーダイオード、そのレーザー光を感光体ドラム１ａ〜１ｄへ導く光学素子（レンズ、ミラー、ポリゴンミラーなど）を有する。
【００２９】
さらに、感光体ドラム１ａ〜１ｄの周囲には、スコロトロン等の帯電器、クリーニング装置、除電器などが配置されている。クリーニング装置は、１次転写後に、感光体ドラム１ａ〜１ｄ上の残留トナーを除去し、除電器は、１次転写後に、感光体ドラム１ａ〜１ｄを除電する。
【００３０】
現像ユニット３ａ〜３ｄは、シアン、マゼンタ、イエローおよびブラックの４色のトナーが充填されているトナーコンテナを有し、そのトナーを感光体ドラム１ａ〜１ｄ上の静電潜像に付着させてトナー画像を形成する。トナーは、キャリアとともに現像剤を構成し、さらに、酸化チタンなどの外添剤が付加されている。
【００３１】
感光体ドラム１ａおよび現像ユニット３ａにより、マゼンタの現像が行われ、感光体ドラム１ｂおよび現像ユニット３ｂにより、シアンの現像が行われ、感光体ドラム１ｃおよび現像ユニット３ｃにより、イエローの現像が行われ、感光体ドラム１ｄおよび現像ユニット３ｄにより、ブラックの現像が行われる。
【００３２】
中間転写ベルト４は、感光体ドラム１ａ〜１ｄに接触し、感光体ドラム１ａ〜１ｄ上のトナー画像を１次転写される環状の像担持体（中間転写体）である。中間転写ベルト４は、駆動ローラー５に張架され、駆動ローラー５からの駆動力によって、感光体ドラム１ａとの接触位置から感光体ドラム１ｄとの接触位置への方向へ周回していく。
【００３３】
転写ローラー６は、搬送されてくる用紙を転写ベルト４に接触させ、転写ベルト４上のトナー画像を用紙に２次転写する。なお、トナー画像を転写された用紙は、定着器９へ搬送され、トナー画像が用紙へ定着される。
【００３４】
ローラー７は、クリーニングブラシを有し、クリーニングブラシを中間転写ベルト４に接触させ、用紙へのトナー画像の転写後に中間転写ベルト４に残ったトナーを除去する。
【００３５】
センサー８は、中間転写ベルト４に光線（検出光）を照射し、中間転写ベルト４の表面またはその表面上のトナーパターンからの反射光を検出する。トナー濃度調整の際、センサー８は、中間転写ベルト４の所定の領域に光線を照射し光線の反射光を検出し、その光量に応じた電気信号を出力する。
【００３６】
図２は、本発明の実施の形態に係る画像形成装置の電気的な構成の一部を示すブロック図である。図２において、プリントエンジン１１は、上述のローラーなどを駆動する図示せぬ駆動源、現像バイアスおよび１次転写バイアスを印加するバイアス印加回路、並びに露光装置２を制御して、トナー画像の現像、転写および定着、並びに給紙、印刷および排紙を実行させる処理回路である。現像バイアスは、感光体ドラム１ａ〜１ｄと現像ユニット３ａ〜３ｄとの間にそれぞれ印加され、１次転写バイアスは、感光体ドラム１ａ〜１ｄと中間転写ベルト４との間にそれぞれ印加される。
【００３７】
また、プリントエンジン１１は、センサー８により検出された反射光のＰ偏光成分とＳ偏光成分からトナーパターンのトナー濃度を計算する。
【００３８】
ここで、トナー濃度補正時の画像形成装置の動作について説明する。
【００３９】
プリントエンジン１１は、駆動ローラー５で中間転写ベルト４を周回させ、露光装置２を制御して、中間転写ベルト４の表面における所定の領域にトナーパターン（パッチ画像）を形成させる。図３は、パッチ画像の一例を示す図である。図３に示すように、パッチ画像３１は、複数の濃度（例えば２５パーセント、５０パーセント、７５パーセント、および１００パーセント）で形成される。センサー８の受光素子は、中間転写ベルト４の表面における所定の領域からの反射光のＰ偏光成分とＳ偏光成分とを受講する。
【００４０】
そして、プリントエンジン１１は、その受光素子の出力をサンプリングし、それらの値から各パッチ画像３１のトナー濃度測定値を計算し、下地および各濃度のパッチ画像についての各濃度測定値に基づいて、現像バイアスおよび１次転写バイアスを調節して、各トナー濃度を補正する。
【００４１】
このようにして、トナー濃度の補正が行われる。
【００４２】
次に、センサー８の詳細について説明する。
【００４３】
図４は、図１におけるセンサー８の詳細な構成を示す図である。
４
図４に示すように、センサー８は、光線を出射する光源５１と、光源５１側の絞り５２と、光源側のビームスプリッター５３と、受光側のビームスプリッター５４と、第１受光素子５５と、第２受光素子５６とを備える。
【００４４】
この実施の形態では、光源５１は、所定の波長スペクトルを有する検出光を出射する発光ダイオードである。絞り５２は、アパーチャー５２ａを有し、アパーチャー５２ａの中心が光源５１の光軸上に位置するように配置される。アパーチャー５２ａは、円孔である。
【００４５】
ビームスプリッター５３は、光源５１からの検出光のうち特定偏光成分を透過させる第１偏光素子であり、ビームスプリッター５４は、中間転写ベルト４の表面またはその表面上のトナーパターン４１からの反射光のうち特定偏光成分を透過させる第２偏光素子である。
【００４６】
ビームスプリッター５３，５４は、それぞれ、光透過性プレートと、その光透過性プレートの光入射面側に設けられた誘電体多層膜と、その光透過性プレートの光出射面側に設けられた反射防止膜とを有しており、これらの膜の厚さなどの調節することで、ビームスプリッター５３，５４の偏光透過特性を所望の特性にすることができる。
【００４７】
この実施の形態では、ビームスプリッター５３は、光源５１からアパーチャー５２ａを介して入射した光線のうち、Ｐ偏光成分を透過し、Ｓ偏光成分を反射する。ビームスプリッター５４は、反射光のうちのＰ偏光成分（すなわち、正反射成分）を透過し、Ｓ偏光成分を反射する。
【００４８】
そして、ビームスプリッター５３，５４は、少なくとも検出光の波長シフト前の波長（つまり、使用開始時の波長）から連続使用による検出光の波長シフト後の波長までを含む透過波長帯域を有する。透過波長帯域は、特定偏光成分に対して所定の閾値（例えば９８％）以上の透過率を有する波長帯域である。
【００４９】
また、この実施の形態では、この透過波長帯域は、検出光の発光強度分布における所定の発光強度レベルでの波長幅と波長シフトの量との和以上の幅を有する。
【００５０】
さらに、この実施の形態では、透過波長帯域の中心波長は、検出光の波長シフト前の波長と検出光の波長シフト後の波長との間の略中心の波長である。
【００５１】
さらに、この実施の形態では、図５に示すように、透過波長帯域の中心波長をＡとし、透過波長帯域の幅をＢとし、波長シフト前の検出光の波長をＣ（＝Ｃ１）とし、検出光の発光強度分布における所定の発光強度レベルでの波長幅をＤとし、波長シフトの量をＥとしたとき、透過波長帯域の幅は、式：Ｂ＞２×｜Ａ−（Ｃ＋Ｅ／２）｜＋Ｄ＋Ｅを満たす値を有する。例えば、Ｄは、発光強度分布におけるピークの５％であり、Ｂは、特定偏光成分の透過率９８％以上の帯域の幅である。
【００５２】
図５は、図４におけるビームスプリッターのＰ偏光透過率特性、光源から出射する光の強度分布、およびその波長シフトの一例を示す図である。図５において、Ｃ１は、波長シフト前の波長であり（Ｃ１＝Ｃ）、Ｃ２は、波長シフト後の波長である（Ｃ２＝Ｃ＋Ｅ）。また、図５において、Ｄは、発光強度分布におけるピークの５％（＝Ｔ５）となる発光強度レベルでの波長幅としている。
【００５３】
例えば、Ａ＝９３０ｎｍ、Ｃ＝９４０ｎｍ、Ｄ＝１００ｎｍ、Ｅ＝５ｎｍである場合、Ｂ＞１３０ｎｍとなる。
【００５４】
また、透過波長帯域の中心波長Ａを、検出光の波長シフト前の波長と検出光の波長シフト後の波長との間の略中心の波長（Ｃ＋Ｅ／２）とすることで、Ｂ＞Ｄ＋Ｅとなる。このように設計すると、透過波長帯域を狭くすることができる。
【００５５】
例えば、Ａ＝（Ｃ＋Ｅ／２）である場合、Ｄ＝１００ｎｍ、Ｅ＝５ｎｍであると、Ｂ＞１０５ｎｍとなる。
【００５６】
第１受光素子５５は、例えばフォトダイオードであり、ビームスプリッター５４を透過したＰ偏光成分の光を検出し、その強度に応じた電圧の電気信号を出力する。第２受光素子５６は、例えばフォトダイオードであり、第１受光素子５５と同様の光検出特性を有し、ビームスプリッター５４で反射したＳ偏光成分の光を検出し、その強度に応じた電圧の電気信号を出力する。
【００５７】
光源側のビームスプリッター５３を透過したＰ偏光成分の光は、中間転写ベルト４の表面（トナーパターン４１または下地）に入射し、反射する。このときの反射光は、正反射成分と拡散反射成分とを有し、正反射成分は、Ｐ偏光となる。反射光のうちのＰ偏光成分は、第１受光素子５５により検出され、反射光のうちのＳ偏光成分は、第２受光素子５６により検出される。
【００５８】
プリントエンジン１１は、第１受光素子５５の出力と第２受光素子５６の出力とに基づいてトナー濃度の測定値を特定し、その測定値に基づいてトナー濃度の補正を行う。なお、受光素子５５，５６とプリントエンジン１１との間には、必要に応じて増幅器などが設けられる。トナー濃度は、例えば、次式に基づいて計算される。
【００５９】
（トナー濃度［パーセント］）＝｛１−（Ｐ−Ｓ）／（Ｐｏ−Ｓｏ）｝×１００
【００６０】
ここで、Ｐは、Ｐ偏光成分のセンサ出力値（電圧）であり、Ｓは、Ｓ偏光成分のセンサ出力値（電圧）であり、Ｐｏは、トナー画像のない箇所（つまり、中間転写ベルト４の下地）でのＰ偏光成分のセンサ出力値（電圧）であり、Ｓｏは、トナー画像のない箇所（つまり、中間転写ベルト４の下地）でのＳ偏光成分のセンサ出力値（電圧）である。
【００６１】
ここで、ビームスプリッター５３，５４の設計方法について説明する。
【００６２】
まず、光源５１の検出光の波長シフト前の（つまり室温での）波長が特定される。
【００６３】
次に、連続使用による波長シフト後の波長が特定される。つまり、トナー濃度センサーを連続使用した場合、使用開始時からトナー濃度センサーの温度が上昇していくので、その温度が飽和したときの波長を、波長シフト後の波長とする。例えば、連続使用時の画像形成装置内部の飽和温度がわかれば、その飽和温度での波長を計測することで、波長シフト後の波長が得られる。
【００６４】
そして、波長シフト前の波長から連続使用による波長シフト後までのシフト量を特定する。これにより、波長シフト量が得られる。
【００６５】
次に、透過波長帯域の中心波長をＡとし、透過波長帯域の幅をＢとし、波長シフト前の検出光の波長をＣとし、検出光の発光強度分布における所定の発光強度レベルでの波長幅をＤとし、波長シフト量をＥとしたとき、ビームスプリッター５３，５４の透過波長帯域の幅を、式：Ｂ＞２×｜Ａ−（Ｃ＋Ｅ／２）｜＋Ｄ＋Ｅを満たす値に設定する。
【００６６】
そして、透過波長帯域の幅がその値となるように誘電体多層膜、反射防止膜などが設計され、ビームスプリッター５３，５４が製造される。
【００６７】
以上のように、上記実施の形態によれば、トナー濃度センサーにおけるビームスプリッター５３，５４が、少なくとも検出光の波長シフト前の波長から連続使用による検出光の波長シフト後の波長までを含む透過波長帯域を有する。
【００６８】
これにより、ビームスプリッター５３，５４が十分な透過波長帯域を有しているため、光源５１自体の発熱や周囲の温度上昇に伴って光源５１の温度が上昇し、光源５１からの光に波長シフトが発生しても、受光素子５５，５６により検出される光の強度がその波長シフトの影響を受けないため、トナー濃度が正確に検出される。
【００６９】
なお、上述の実施の形態は、本発明の好適な例であるが、本発明は、これらに限定されるものではなく、本発明の要旨を逸脱しない範囲において、種々の変形、変更が可能である。
【００７０】
例えば、上記実施の形態では、特定偏光成分としてＰ偏光を使用しているが、その代わりに、Ｓ偏光を使用するようにしてもよい。
【００７１】
また、上記実施の形態においては、カラー画像形成装置について説明したが、モノクロ画像形成装置にも適用可能である。
【００７２】
また、上記実施の形態において、ビームスプリッター５３，５４の代わりに偏光板を使用してもよい。
【産業上の利用可能性】
【００７３】
本発明は、例えば、画像形成装置に適用可能である。
【符号の説明】
【００７４】
８  センサー（トナー濃度センサーの一例）
４１  トナーパターン（トナー画像の一例）
５１  光源
５３  ビームスプリッター（第１偏光素子の一例）
５４  ビームスプリッター（第２偏光素子の一例）
【図１】
2012093655.tif 000003
【図２】
2012093655.tif 000004
【図３】
2012093655.tif 000005
【図４】
2012093655.tif 000006
【図５】
2012093655.tif 000007